(57)【要約】【課題】衣服の大部分を定位置に保持するのに充分な表面積のアイロン面を格納することが可能な単純な構成のアイロン装置を提供する。【解決手段】スチームを吹き出させるための少なくとも１つの穴を備えるしわ伸ばしブラシ３に管路２により接続されたスチーム束を生成するための装置を内蔵するベース１を含むスチームアイロン装置であって、前記ベース１が、しわ伸ばしブラシ３の使用時にアイロンをかける衣服が押し当てられるアイロン面５０を含み、前記アイロン面を折り曲げるまたは巻き取ることができることを特徴とするスチームアイロン装置。【選択図】図１
2013090931.tif 000002
【特許請求の範囲】
【請求項１】
スチームを吹き出させるための少なくとも１つの穴を備えるしわ伸ばしブラシ（３）に管路（２）により接続されたスチーム束を生成するための装置を内蔵するベース（１）を含むスチームアイロン装置であって、前記ベース（１）は、しわ伸ばしブラシ（３）の使用時にアイロンをかける衣服が押し当てられるアイロン面（５０）を含み、その格納のため前記アイロン面（５０）を折り曲げるまたは巻き取ることができることを特徴とするスチームアイロン装置。
【請求項２】
前記表面（５０）は柔軟な表面であり、表面（５０）の端部に配設された少なくとも１つの保持要素（５１、５２）により展開された状態に保持されることを特徴とする請求項１に記載のスチームアイロン装置。
【請求項３】
柔軟な表面（５０）の両端に張力を加える２つの保持要素（５１、５２）を含むことを特徴とする請求項２に記載のスチームアイロン装置。
【請求項４】
前記アイロン面（５０）は、アイロン面（５０）がそのほぼ全長にわたって展開する作業位置と、前記アイロン面（５０）が折り畳まれ巻き取られる格納位置とを占めることができることを特徴とする請求項１から３のいずれか一項に記載のスチームアイロン装置。
【請求項５】
作業位置において、アイロン面（５０）は長方形を有し、１ｍを超える長さに展開することができることを特徴とする請求項４に記載のスチームアイロン装置。
【請求項６】
前記ベース（１）はアイロン面（５０）の格納装置（５）を支承する垂直マスト（１１）を含むことを特徴とする請求項４または５に記載のスチームアイロン装置。
【請求項７】
マスト（１１）は伸縮形であることを特徴とする請求項６に記載のスチームアイロン装置。
【請求項８】
アイロン面（５０）は、作業位置にある時、マスト（１１）に沿って延びることを特徴とする請求項６または７に記載のスチームアイロン装置。
【請求項９】
前記マスト（１１）はその上端でアーチ（４）を支持すること、およびアイロン面（５０）の保持要素（５２）はアーチ（４）の基部に配設されることを特徴とする請求項６から８のいずれか一項に記載のスチームアイロン装置。
【請求項１０】
アイロン面（５０）の保持要素は、前記アイロン面（５０）の一端部が固定されたパイプ（５２）で構成され、前記アイロン面（５０）が格納位置にある時は、前記アイロン面（５０）はパイプ（５２）の周囲に巻き取られ、前記アイロン面（５０）が作業位置にある時は、パイプから展開されることを特徴とする請求項４から９のいずれか一項に記載のスチームアイロン装置。
【請求項１１】
前記パイプ（５２）は長手方向軸を中心として回動可能であり、パイプ（５２）の周囲へのアイロン面（５０）の自動巻き取りを行う復帰手段（５３）を含むことを特徴とする請求項１０に記載のスチームアイロン装置。
【請求項１２】
パイプ（５２）に固定された端部とは反対側のアイロン面（５０）の端部は、アイロン面（５０）を作業位置に保持するためのベース（１）の要素（１２）と協動する固定手段（５４Ａ）を含む横方向ビーム（５１）により補強されることを特徴とする請求項１０または１１に記載のスチームアイロン装置。
【請求項１３】
前記アイロン面（５０）はスチームに対する透過性を有することを特徴とする請求項１から１２のいずれか一項に記載のスチームアイロン装置。
【請求項１４】
前記アイロン面（５０）は織物であることを特徴とする請求項１３に記載のスチームアイロン装置。
【請求項１５】
前記アイロン面（５０）はＰＴＦＥ被覆ファイバー織物であることを特徴とする請求項１４に記載のスチームアイロン装置。
【発明の詳細な説明】
【技術分野】
【０００１】
本発明は、スチームを吹き出させるための少なくとも１つの穴を備えるしわ伸ばしブラシに管路により接続されたスチーム発生装置を内蔵するベースを含むスチームアイロン装置に関し、より詳細には、ベースが、しわ伸ばしブラシの使用時にアイロンをかける衣服が押し当てられるアイロン面を含む装置に関する。
【背景技術】
【０００２】
スチーム吹き出し穴を備えるしわ伸ばしブラシに管路により接続されたスチーム生成装置を内蔵するベースを含むスチームアイロン装置が知られている（たとえば、特許文献１参照）。本文献においては、ベースは、上端にアーチを具備した伸縮形マストを含み、マストは、しわ伸ばし作業時にアイロンをかける衣服が押し当てられる硬質のアイロン面を含むボードを支持する。
【０００３】
そのようなアイロン装置は、製造コストが低く、ファイバーのブラッシングと組み合わせた時、反りまたはアーチ上に垂直に掛けられた衣服のすばやいしわ伸ばしが行える飽和水蒸気束をすばやく生成できるという長所を有し、衣服をしわ伸ばしブラシに当たった状態に保持しより強い張力をファイバーに与えることができる垂直ボードが存在することによりファイバーのブラッシングが容易になる。
【先行技術文献】
【特許文献】
【０００４】
【特許文献１】国際公開第２００７／１０８５７７号パンフレット
【特許文献２】国際公開第２００４／０２３９５７号パンフレット
【特許文献３】欧州特許第１１２２４００号明細書
【発明の概要】
【発明が解決しようとする課題】
【０００５】
しかしながらそのような垂直ボードは、寸法がきわめて不充分で、アーチに掛けられた衣服の表面全体を押圧することができないという欠点を有する。さらにそのような垂直ボードは寸法が小さいにも関わらず依然としてかさが大きく伸縮形マストの格納に支障をきたす。
【課題を解決するための手段】
【０００６】
したがって本発明の目的は、これらの欠点を解消し構造がきわめて単純なアイロン装置を提供することである。
【０００７】
この目的のため、本発明は、スチームを吹き出させるための少なくとも１つの穴を備えるしわ伸ばしブラシに管路により接続されたスチーム束を生成するための装置を内蔵するベースを含むスチームアイロン装置において、ベースが、しわ伸ばしブラシの使用時に、アイロンをかける衣服を押し当てられるアイロン面を含み、その格納のためアイロン面を折り曲げるまたは巻き取ることができることを特徴とするスチームアイロン装置を対象とする。
【０００８】
本発明の別の特徴によれば、アイロン面は、表面の端部に配設された少なくとも１つの保持要素により展開された状態に保持される柔軟な表面で構成される。
【０００９】
本発明の別の特徴によれば、本装置は、柔軟な表面の両端に張力を加える２つの保持要素を含む。
【００１０】
本発明の別の特徴によれば、アイロン面は、同面がそのほぼ全長にわたって展開する作業位置と、同面が折り畳まれる格納位置とを占めることができる。
【００１１】
本発明の別の特徴によれば、アイロン面は長方形であり、１ｍを超える長さに展開することができる。
【００１２】
本発明の別の特徴によれば、ベースはアイロン面の格納装置を支承する垂直マストを含む。
【００１３】
本発明の別の特徴によれば、マストは伸縮形である。
【００１４】
本発明の別の特徴によれば、アイロン面は、作業位置にある時、マストに沿って延びる。
【００１５】
本発明の別の特徴によれば、マストはその上端でアーチを支持し、アイロン面の保持要素はアーチの基部に配設される。
【００１６】
本発明の別の特徴によれば、アイロン面の保持要素は、アイロン面の一端部が固定されたパイプで構成され、前記アイロン面が格納位置にある時は、アイロン面はパイプの周囲に巻き取られ、アイロン面が作業位置にある時は、パイプから展開される。
【００１７】
本発明の別の特徴によれば、パイプは長手方向軸を中心として回動可能であり、パイプの周囲へのアイロン面の自動巻き取りを行う復帰手段を含む。
【００１８】
本発明の別の特徴によれば、パイプに固定された端部とは反対側のアイロン面の端部は、アイロン面を作業位置に保持するためのベースの要素と協動する固定手段を含む横方向ビームにより補強される。
【００１９】
本発明の別の特徴によれば、アイロン面はスチームに対し透過性を有する。
【００２０】
本発明の別の特徴によれば、アイロン面は織物である。
【００２１】
本発明の別の特徴によれば、アイロン面はＰＴＦＥ被覆ファイバー織物である。
【００２２】
本発明の別の特徴によれば、アイロン面は作業位置において平面である。
【００２３】
本発明の目的、態様および長所は、非限定的例として示し添付の図面を参照して行う本発明の特定な一実施形態についての以下の記述により、よりよく理解できよう。
【発明の効果】
【００２４】
本発明によれば、単純な構成で、衣服の大部分を定位置に保持するのに充分な表面積のアイロン面を格納することが可能な単純な構造のアイロン装置を提供することができる。
【図面の簡単な説明】
【００２５】
【図１】アイロンカーテンが格納位置にある時の、本発明のある特定の実施形態によるアイロン装置の斜視図である。
【図２】アイロンカーテンが作業位置にある時の、図１の装置の別の斜視図である。
【図３】カーテンが作業位置にある時の、図１の装置の側面図である。
【図４】カーテンが、格納位置と作業位置の間の中間位置にある時の、装置のマストの上端に固定されたアーチの斜視図である。
【図５】カーテンが格納位置にある時の、図４のアーチの断面図である。
【発明を実施するための形態】
【００２６】
本発明の理解に必要な要素のみを示した。図面の読み取りを平易にするために、図が変わっても同じ要素には同じ符号が付してある。
【００２７】
図１から図３は、スチームを吹き出させるための穴を含むしわ伸ばしブラシ３に可とう管路２により接続されたスチームを生成するためのベース１を含むスチームアイロン装置を示し、ベース１は周知の通り、図示しないが、水飽和蒸気束を連続的に発生することが可能な沸騰室に接続されたウォータータンク１０を含み、沸騰室は、同沸騰室によって発生された蒸気をしわ伸ばしブラシ３に自由に拭き出させることが可能になるよう、可とう管路２に直接接続される。
【００２８】
そのような蒸気発生ベース１は当業者にはよく知られており、たとえば、詳細に記述されているスチーム生成のためのベースに技術的に類似している（たとえば、特許文献２参照）。
【００２９】
図１によれば、ベース１は、３つの伸縮形区間と、しわを伸ばす布がセットされるアーチ４を支持する上端とを備えるマスト１１を含み、アーチ４は、しわ伸ばしブラシ３用収納部を形成する切り欠き４０をその頂上部に含むのが有利である。
【００３０】
より詳細には、本発明によれば、図２に記載のように、ベース１は、しわ伸ばしブラシ３を使用して衣服が処理される時には、アイロンをかける衣服のための支持面となるアイロン面５０も含む。アイロン面は、面５０の端部に配設された２つの保持要素５１、５２の間に展開された状態で保持される柔軟な表面５０であって、アーチ４のベースに配設されたパイプ５２を備える格納装置５に取り付けられた布製の長方形カーテン５０で構成されるのが有利である面から成り、パイプ５２はアーチ４に回動可能に取り付けられる。
【００３１】
パイプ５２は、２つの保持要素のうちの、カーテン５０の長手方向端が固定された要素を構成し、他方の保持要素は、カーテン５０の他方の長手方向端に配設される横方向ビーム５１で構成され、パイプ５２は、カーテン５０がパイプ５２の周囲に完全に巻き取られる図１から図５に示すような格納位置への自動復帰手段を含む。
【００３２】
パイプ５２の自動復帰手段は、コイルばね５３で構成されるのが有利であり、たとえば、記載されている復帰手段と同様なものとする（たとえば、特許文献３参照）。
【００３３】
横方向ビーム５１は、カーテン５０の全幅にわたって延び、図２に示す作業位置側にカーテン５０を展開するためにユーザーがカーテン５０に張力を与えることができる把握ハンドル５４を含み、作業位置においてはカーテン５０はパイプ５２の外側に展開され、マスト１１に沿って延び、その時カーテン５０はほぼ垂直な位置を占め、好ましくは、図３でわかるように、若干、すなわち３°から１０°程度傾斜している。
【００３４】
図３から図５によれば、把握ハンドル５４は、カーテン５０を作業位置に保持し、横方向ビーム５１が復帰ばね５３の作用により格納位置に自動的に復帰するのを防止するために、伸縮形マスト１１の下部区間によって支持された固定プレート１２と協動するようになる鉤形の部分５４Ａを有する。
【００３５】
好ましくは、固定プレート１２は、伸縮形マスト１１の下部に沿って平行移動することができ、横方向ビーム５１がプレート１２に固定された時、カーテン５０全体またはカーテンの一部分が展開されるようユーザーが所望の高さに固定プレート１２を配置することができるようにする図示しない固定手段を具備する。
【００３６】
例として、カーテン５０は、たとえば、４０ｃｍ程度の幅、および１１０ｃｍ程度の長さを有し、その結果、カーテンが完全に展開された時、アーチに掛けられた衣服の大部分を定位置に保持するのに充分な表面積が得られる。カーテン５０は、織物加工されＰＩＦＥ（ポリテトラフルオロエチレン）の被覆が施された厚さ０．３ｍｍ程度のグラスファイバー製布で構成されるのが有利であるが、そのような布は、スチームに対する透過性を有しつつもスチームに対する強度を有し、スチーム束をうけても過度に弛緩しないという長所を有する。
【００３７】
図３に示すように、ユーザーがしわ伸ばしブラシ３をカーテン５０に対し直角に当てた時、しわ伸ばしブラシ３に当たるカーテン５０の抵抗を感じ取ることができるよう、パイプ５２のばね５３は、カーテン５０の横方向ビーム５１がプレート１２に固定された時、カーテンに張力を加えるようになる復帰トルクを発生するよう寸法設計される。
【００３８】
このようにして、支持面を形成するフレキシブルカーテン５０を含むスチームアイロン装置が得られ、この支持面により、しわ伸ばしブラシ３が当たった時、衣服を良好に保持し、ユーザーがしわ伸ばしブラシ３を使用して衣服に圧力を加えることができるようにし、その結果、アイロンをかける衣服の繊維を緊張させ、アイロンがけの性能を向上させることが可能になる。
【００３９】
そのようなカーテン５０は、図５に示す格納位置に復帰することも可能であるという長所も有し、この格納位置では、把握ハンドル５４の鉤形部分５４Ａがアーチ４のベースの開口部４１に嵌入するようになり、その結果、カーテン５０はアーチ４の体積内に完全に組み込まれる。したがって、このようにして格納されたカーテン５０は、保存時の装置の体積を減らすために完全に折り畳むことができる伸縮形マスト１１のレベルにおいて何ら不都合をもたらさない。
【００４０】
さらに、パイプ５２の周囲にカーテン５０を巻き付けることは、カーテン５０が格納位置にある時にカーテンが保護されるという長所があり、それによりカーテン５０が埃に触れることを避けることができ、その結果、カーテンは常に清潔であり、ユーザーが装置の使用を所望した場合、すぐに使用可能である。
【００４１】
もちろん本発明は、もっぱら例として記述し図示した実施形態に何ら限定されるものではない。特に種々の要素の構成の見地から見て、または同等の技術で置き換えることにより、本発明の保護範囲から逸脱することなく変更が可能である。
【００４２】
したがって、図示しない実施の変形形態においては、支持面として使用される布は、スチームに対する透過性を有する別の材料で作製することが可能である。
【００４３】
したがって、図示しない別の実施の変形形態においては、パイプへのカーテンの自動復帰システムは、クランクによるパイプへのカーテンの手動巻き取りシステムに置き換えることが可能であり、その場合パイプはラチェットによる固定装置を含むことができる。
【００４４】
したがって、図示しない別の実施の変形形態においては、装置は、アーチに加え、またはアーチの代わりに、アイロンをかける衣服をアイロン面に沿って保持することができるクリップを含むことができる。
【００４５】
したがって、図示しない別の実施の変形形態においては、アイロン面の格納時、アイロン面がパイプに巻き取られるのではなく、アコーデオン状に折り曲げられるか、扇状に格納および展開できる。
【００４６】
したがって、図示しない別の実施の変形形態においては、アイロン面は、アイロン面の外周全体にわたり配設された弾性変形フレームにより展開された状態に保持することができる。
【００４７】
したがって、図示しない別の実施の変形形態においては、アイロン面は、パイプへのカーテンの巻付けができるように、横に並べられ相互に連接された一連の硬質ブレードを含むカーテンで構成することができる。
【符号の説明】
【００４８】
１  ベース
２  管路
３  ブラシ
５  格納装置
１１  垂直マスト
１２  要素
５０  アイロン面
５１  横方向ビーム
５２  パイプ
５４Ａ  固定手段
【図１】
2013090931.tif 000003
【図２】
2013090931.tif 000004
【図３】
2013090931.tif 000005
【図４】
2013090931.tif 000006
【図５】
2013090931.tif 000007